(57)【要約】【課題】光源装置と、制御部や電源などと、を接続する配線の安全を確保することができるトイレ装置を提供することを目的とする。【解決手段】着座面を有する便座と、閉じた状態で着座面を覆う便蓋と、便蓋または便座に設けられ、便蓋が閉じた状態において便器のボウル部に紫外線を照射する光源装置と、便器の後部に設けられたトイレ装置本体の内部に設けられ光源装置を制御する制御部と、光源装置と制御部とを接続する電気配線と、電気配線を固定し便蓋または便座の回転軸を中心として回転可能なホルダと、を備え、ホルダに固定された箇所と、制御部に固定された箇所と、の間の電気配線は、余長を有する状態でトイレ装置本体の内部に配置され、便蓋または便座の回転に伴う長さの変化に対応可能であることを特徴とするトイレ装置が提供される。【選択図】図２
2014150905.tif 000002
【特許請求の範囲】
【請求項１】
着座面を有する便座と、
閉じた状態で前記着座面を覆う便蓋と、
前記便蓋または前記便座に設けられ、前記便蓋が閉じた状態において便器のボウル部に紫外線を照射する光源装置と、
前記便器の後部に設けられたトイレ装置本体の内部に設けられ前記光源装置を制御する制御部と、
前記光源装置と前記制御部とを接続する電気配線と、
前記電気配線を固定し前記便蓋または前記便座の回転軸を中心として回転可能なホルダと、
を備え、
前記ホルダに固定された箇所と、前記制御部に固定された箇所と、の間の前記電気配線は、余長を有する状態で前記トイレ装置本体の内部に配置され、前記便蓋または前記便座の回転に伴う長さの変化に対応可能であることを特徴とするトイレ装置。
【請求項２】
前記ホルダは、前記便蓋または前記便座と当接し前記便蓋または前記便座から力を受けることにより前記便蓋または前記便座と共に回転することを特徴とする請求項１記載のトイレ装置。
【請求項３】
前記ホルダは、前記電気配線を固定する配線固定部を有し、
前記トイレ装置本体は、前記回転軸の周囲に設けられ前記電気配線が通る開口部であって、前記ホルダの回転に伴う前記配線固定部の回転の範囲と同等の範囲が開口した開口部を有することを特徴とする請求項１または２に記載のトイレ装置。
【請求項４】
前記便蓋または前記便座に設けられ前記光源装置が固定されたケースカバーをさらに備え、
前記ホルダに固定された箇所と、前記光源装置に固定された箇所と、の間の前記電気配線は、前記ケースカバーの内部に配置されたことを特徴とする請求項１〜３のいずれか１つに記載のトイレ装置。
【請求項５】
前記ケースカバーは、前記便蓋が閉じた状態で前記着座面と対面する箇所に設けられ前記光源装置が固定されたケースカバー本体と、前記便蓋または前記便座の周囲部に設けられ前記ホルダを隠蔽し前記ケースカバー本体に固定される連結カバー部と、を有することを特徴とする請求項４記載のトイレ装置。
【請求項６】
前記ホルダは、前記連結カバー部と当接し前記便蓋または前記便座の回転に伴い前記連結カバー部から力を受けることにより前記便蓋または前記便座と共に回転することを特徴とする請求項５記載のトイレ装置。
【発明の詳細な説明】
【技術分野】
【０００１】
本発明の態様は、一般的に、トイレ装置に関する。
【背景技術】
【０００２】
便器の清潔状態を維持するために、光触媒層が便器のボウル面に形成された便器が提案されている。例えば、便鉢内に紫外線を照射するためのＬＥＤ等の紫外線光源が便蓋の下面側に設けられ、光触媒層が便鉢の内面に設けられた紫外線光源付き設備がある（特許文献１）。
【０００３】
特許文献１に記載された紫外線高原付き設備のように紫外線光源を便蓋に設ける場合、紫外線光源を制御する制御部や紫外線光源を駆動する電源などを便蓋に設けることが１つの案として考えられる。しかし、制御部や電源などを便蓋に設けると、便蓋が大型化するとともに、便蓋の重さが増加する。そのため、この場合には、便蓋の耐久性を上げる必要がある。この問題は、便蓋ではなく便座に紫外線光源を設けた場合にも同様に生ずる。
【０００４】
これに対して、制御部や電源部などを例えば温水洗浄便座の本体に設け、制御部や電源などと、便蓋または便座に設けた紫外線光源と、を配線で接続することが１つの案として考えられる。しかし、便蓋および便座は、トイレ使用時に回動することがある。そのため、配線については、安全性および意匠性の配慮が必要となるという問題がある。
【先行技術文献】
【特許文献】
【０００５】
【特許文献１】特開２００６−２７１５１６号公報
【発明の概要】
【発明が解決しようとする課題】
【０００６】
本発明は、かかる課題の認識に基づいてなされたものであり、光源装置と、制御部や電源などと、を接続する配線の安全を確保することができるトイレ装置を提供することを目的とする。
【課題を解決するための手段】
【０００７】
第１の発明は、着座面を有する便座と、閉じた状態で前記着座面を覆う便蓋と、前記便蓋または前記便座に設けられ、前記便蓋が閉じた状態において便器のボウル部に紫外線を照射する光源装置と、前記便器の後部に設けられたトイレ装置本体の内部に設けられ前記光源装置を制御する制御部と、前記光源装置と前記制御部とを接続する電気配線と、前記電気配線を固定し前記便蓋または前記便座の回転軸を中心として回転可能なホルダと、を備え、前記ホルダに固定された箇所と、前記制御部に固定された箇所と、の間の前記電気配線は、余長を有する状態で前記トイレ装置本体の内部に配置され、前記便蓋または前記便座の回転に伴う長さの変化に対応可能であることを特徴とするトイレ装置である。
【０００８】
このトイレ装置によれば、電気配線がホルダに固定されているため、光源装置とホルダとの間の電気配線の状態は、便蓋の回転前後において略一定に維持される。そのため、電気配線が引っ張りや噛み込みなどの外部ストレスを受けることを抑制することができる。これにより、電気配線の安全を確保することができる。
【０００９】
第２の発明は、第１の発明において、前記ホルダは、前記便蓋または前記便座と当接し前記便蓋または前記便座から力を受けることにより前記便蓋または前記便座と共に回転することを特徴とするトイレ装置である。
【００１０】
このトイレ装置によれば、ホルダは、便蓋または便座が回転するとより確実に回転する。言い換えれば、ホルダの回転動作は、便蓋または便座の回転動作と略同一である。そのため、光源装置とホルダとの間の電気配線の状態は、便蓋の回転前後において略一定に維持される。そのため、電気配線が引っ張りや噛み込みなどの外部ストレスを受けることを抑制することができる。これにより、電気配線の安全を確保することができる。
【００１１】
第３の発明は、第１または第２の発明において、前記ホルダは、前記電気配線を固定する配線固定部を有し、前記トイレ装置本体は、前記回転軸の周囲に設けられ前記電気配線が通る開口部であって、前記ホルダの回転に伴う前記配線固定部の回転の範囲と同等の範囲が開口した開口部を有することを特徴とするトイレ装置である。
【００１２】
このトイレ装置によれば、ホルダにおける電気配線の固定箇所（配線固定部）と、制御部における電気配線の固定箇所と、の間の電気配線の動きをトイレ装置本体の内部で完結させる又は閉じることができる。これにより、電気配線がホルダあるいは回転軸の近傍において擦れたりすることを抑制できる。
【００１３】
第４の発明は、第１〜第３のいずれか１つの発明において、前記便蓋または前記便座に設けられ前記光源装置が固定されたケースカバーをさらに備え、前記ホルダに固定された箇所と、前記光源装置に固定された箇所と、の間の前記電気配線は、前記ケースカバーの内部に配置されたことを特徴とするトイレ装置である。
【００１４】
このトイレ装置によれば、電気配線が外観に露出しないため、例えば電気配線を引っ張るなどのいたずらを抑制することができる。また、電気配線が外観に露出しないため、トイレ装置の意匠を向上させることができる。
【００１５】
第５の発明は、第４の発明において、前記ケースカバーは、前記便蓋が閉じた状態で前記着座面と対面する箇所に設けられ前記光源装置が固定されたケースカバー本体と、前記便蓋または前記便座の周囲部に設けられ前記ホルダを隠蔽し前記ケースカバー本体に固定される連結カバー部と、を有することを特徴とするトイレ装置である。
【００１６】
このトイレ装置によれば、便蓋および便座の回転軸がトイレ装置本体の後端に位置する場合でも、便蓋および便座が閉じたときの製品高さ（トイレ装置の高さ）を上げる必要を抑えることができる。そのため、すっきりとしたデザインを提供することができる。また、ケースカバーが複数の構成部品（ケースカバー本体および連結カバー部）を有するため、点検および組み立てが容易となる。
【００１７】
第６の発明は、第５の発明において、前記ホルダは、前記連結カバー部と当接し前記便蓋または前記便座の回転に伴い前記連結カバー部から力を受けることにより前記便蓋または前記便座と共に回転することを特徴とするトイレ装置である。
【００１８】
このトイレ装置によれば、ホルダは、便蓋または便座が回転すると、便蓋または便座に設けられた連結カバー部から力を受け、より確実に回転する。言い換えれば、ホルダの回転動作は、便蓋または便座の回転動作と略同一である。そのため、光源装置とホルダとの間の電気配線の状態は、便蓋の回転前後において略一定に維持される。そのため、電気配線が引っ張りや噛み込みなどの外部ストレスを受けることを抑制することができる。これにより、電気配線の安全を確保することができる。
【発明の効果】
【００１９】
本発明の態様によれば、光源装置と、制御部や電源などと、を接続する配線の安全を確保することができるトイレ装置が提供される。
【図面の簡単な説明】
【００２０】
【図１】本発明の実施の形態にかかるトイレ装置を表す模式的斜視図である。
【図２】本実施形態の便蓋の回転軸の近傍を表す模式的拡大図である。
【図３】本実施形態のホルダを表す模式的斜視図である。
【図４】便蓋が閉じた状態におけるホルダの近傍の構造を説明する模式的斜視図である。
【図５】便蓋が開いた状態におけるホルダの近傍の構造を説明する模式的斜視図である。
【図６】便蓋が閉じた状態におけるホルダの近傍の構造を説明する模式的断面図である。
【図７】本実施形態の連結カバー部の変形例を例示する模式的断面図である。
【図８】便蓋の回転軸の近傍の構成部品の組立工程の一例を例示する模式図である。
【図９】便蓋の回転軸の近傍の構成部品の組立工程の一例を例示する模式図である。
【図１０】本発明の他の実施の形態にかかるトイレ装置を表す模式的斜視図である。
【図１１】図１０に表した領域Ａ３を拡大した模式的拡大図である。
【図１２】本実施形態の便蓋の回転軸の近傍を表す模式的分解図である。
【図１３】本実施形態のホルダを表す模式的斜視図である。
【図１４】便蓋が閉じた状態におけるホルダの近傍の構造を説明する模式的斜視図である。
【図１５】便蓋が開いた状態におけるホルダの近傍の構造を説明する模式的斜視図である。
【図１６】本実施形態のケーシングの内部構造を表す模式的斜視図である。
【図１７】本実施形態のホルダの受け面を説明する模式図である。
【図１８】本実施形態のケーシングに設けられた開口部を表す模式的斜視図である。
【図１９】本実施形態の連結カバー部の変形例を例示する模式的断面図である。
【図２０】光触媒層の一例を例示する模式的断面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
図１（ａ）は、本実施形態にかかるトイレ装置を右斜め上方から眺めた模式的斜視図である。図１（ｂ）は、図１に表した領域Ａ１を左斜め上方から眺めた模式的斜視図である。
【００２２】
本実施形態にかかるトイレ装置１０は、洋式腰掛便器（以下説明の便宜上、単に「便器」と称する）８１０と、その上に設けられた衛生洗浄装置１１０と、を備える。衛生洗浄装置１１０は、ケーシング（トイレ装置本体）４１０と、便座２１０と、便蓋３１０と、ケースカバー３３０と、光源装置５００と、を有する。便座２１０と便蓋３１０とは、ケーシング４１０に対して開閉自在にそれぞれ軸支されている。ケースカバー３３０は、ケースカバー本体３３１と、連結カバー部３３２と、を有する。なお、本実施形態のトイレ装置１０は、便器８１０を必ずしも備えていなくともよい。
【００２３】
便器８１０は、ボウル部８１１を有する。便蓋３１０が閉じている状態では、ボウル部８１１は、便蓋３１０により覆われる。ボウル部８１１の表面には、光触媒層（「光触媒膜」ともいう）８１３（図２０参照）が形成されている。  
本願明細書において、「光触媒」とは、光を照射すると、酸化作用および還元作用の少なくともいずれかが促進されるものをいう。その結果、雑菌や細菌や臭気物質などの有機物を分解する分解作用と、表面が水に濡れやすい親水作用と、菌の繁殖を抑制するあるいは菌の活動を停止させる抗菌作用と、を得ることができる。光触媒層８１３が形成されたボウル部８１１は、汚物の付着を抑制したり、汚物を分解したり、付着した水垢を容易に除去できるため、便器８１０の清掃負担を軽減し、きれいな便器８１０を維持することができる。
【００２４】
具体的には、光触媒層８１３が形成されたボウル部８１１の表面に紫外線を照射すると、その紫外線および空気中の水や酸素などにより、ボウル部８１１の表面に活性酸素が発生する。その活性酸素は、ボウル部８１１の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、ボウル部８１１の表面の抗菌や防汚や防臭を行うことができる。
【００２５】
また、光触媒層８１３が形成されたボウル部８１１の表面に紫外線を照射すると、その表面には周囲の水との結合による親水基（−ＯＨ）が表出する。これにより、ボウル部８１１の表面は、水になじむようになり、濡れやすくなる（親水作用）。すなわち、ボウル部８１１の表面には水滴ができず、水が表面に濡れ広がるようになる。そして、予めボウル部８１１の表面を親水化することにより、汚れは、ボウル部８１１の表面に濡れ広がった水の表面に付着することになる。さらに、ボウル部８１１の洗浄に用いる洗浄水がボウル部８１１の表面とその表面に付着した汚れとの間に入り込み、汚れを浮かして流す。そのため、光触媒の親水作用により、ボウル部８１１の表面の防汚や防曇が可能となる。
【００２６】
これらによれば、紫外線の照射と、光触媒の分解作用、親水作用および抗菌作用と、の相乗効果により効果的にボウル部８１１の抗菌や防汚や防臭を行うことができる。このような「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）、酸化ジルコニウム（ＺｒＯｘ）などを挙げることができる。これらのうちでも、特に、酸化チタンは、光触媒として活性であり、また、安定性や安全性などの点でも優れる。
【００２７】
本願明細書において、「紫外線」とは、４００ナノメートル（ｎｍ）以下の波長に極大を有する光をいう。具体的には、紫外線とは、３００ｎｍ以上、３６０ｎｍ以下の波長に極大を有する光をいう。なお、光触媒層８１３の詳細については、後に詳述する。
【００２８】
ケースカバー本体３３１は、便蓋３１０が閉じた状態で着座面２１１と対面する箇所に設けられている。図１（ｂ）に表したように、連結カバー部３３２は、便蓋３１０が閉じた状態で便座２１０の着座面２１１と対面する便蓋３１０の面（裏面）３１３の周囲部に設けられ、ケースカバー本体３３１に固定されている。また、連結カバー部３３２は、ねじ３３９により便蓋３１０に固定されている。
【００２９】
光源装置５００は、便蓋３１０とケースカバー本体３３１との間に設けられ、便蓋３１０の裏面３１３に取り付けられている。あるいは、光源装置５００は、便蓋３１０とケースカバー本体３３１との間に設けられ、ケースカバー本体３３１に固定されている。あるいは、光源装置５００は、便座２１０に設けられていてもよい。なお、光源装置５００が便座２１０に設けられる場合には、ケースカバー本体３３１および連結カバー部３３２は、便座２１０に設けられる。以下では、説明の便宜上、光源装置５００が便蓋３１０とケースカバー本体３３１との間に設けられた場合を例に挙げて説明する。
【００３０】
光源装置５００は、例えば図示しない冷陰極管を有し、冷陰極管から紫外線を照射することができる。図１（ａ）に表したように、ケースカバー本体３３１は、開口部３３１ａを有する。光源装置５００は、便蓋３１０が閉じた状態において、ケースカバー本体３３１の開口部３３１ａを通して便器８１０のボウル部８１１の表面に対して紫外線を照射することができる。
【００３１】
図１（ａ）に表したように、ケーシング４１０は、便器８１０の後部に設けられている。  
なお、本願明細書においては、便座２１０に座った使用者からみて上方を「上方」とし、便座２１０に座った使用者からみて下方を「下方」とする。また、便座２１０に座った使用者からみて前方を「前方」とし、便座２１０に座った使用者からみて後方を「後方」とする。あるいは、便器８１０の方向を向いて便器８１０の前に立った使用者からみて手前側を「前方」とし、便器８１０の方向を向いて便器８１０の前に立った使用者からみて奥側を「後方」とする。また、便器８１０の方向を向いて便器８１０の前に立った使用者からみて右側を「右側方」とし、便器８１０の方向を向いて便器８１０の前に立った使用者からみて左側を「左側方」とする。
【００３２】
ケーシング４１０の内部には、制御部４０５および電源４０７が設けられている。制御部４０５は、光源装置５００の動作（例えば紫外線の照射の時間やタイミングなど）を制御する。電源４０７は、光源装置５００の駆動電圧を供給する。制御部４０５から送信される制御信号や電源が出力する駆動電圧は、電気配線３６１を通して光源装置５００に供給される。
【００３３】
図１（ｂ）に表したように、電気配線３６１は、ケースカバー３３０の内部に配置される。すなわち、制御部４０５および電源４０７に接続された電気配線３６１は、ケーシング４１０の内部から連結カバー部３３２の内部を通り、ケースカバー本体３３１の内部を通って光源装置５００に接続される。
【００３４】
これによれば、電気配線３６１が外観に露出しないため、例えば電気配線３６１を引っ張るなどのいたずらを抑制することができる。また、電気配線３６１が外観に露出しないため、トイレ装置１０の意匠を向上させることができる。  
さらに、便蓋３１０および便座２１０の回転軸がケーシング４１０の後端に位置する場合でも、便蓋３１０および便座２１０が閉じたときの製品高さ（トイレ装置１０の高さ）を上げる必要を抑えることができる。そのため、すっきりとしたデザインを提供することができる。また、ケースカバー３３０が複数の構成部品（本実施形態ではケースカバー本体３３１および連結カバー部３３２）を有するため、点検および組み立てが容易となる。
【００３５】
図２は、本実施形態の便蓋の回転軸の近傍を表す模式的拡大図である。  
図２（ａ）は、便蓋３１０の回転軸の近傍を分解して表した模式的分解図である。図２（ｂ）は、便蓋３１０の回転軸の近傍を表す模式的組立図である。なお、図２（ａ）では、便蓋３１０の回転軸の前方の一部を切断し、また電気配線３６１を省略している。
【００３６】
本実施形態の便蓋３１０は、ケーシング４１０に対して開閉自在に軸支されている。便蓋３１０の回転軸Ｃ１の近傍には、ホルダ３５０と、ヒンジピン３６３と、が設けられている。ホルダ３５０は、光源装置５００と、制御部４０５および電源４０７の少なくともいずれかと、を接続する電気配線３６１を固定あるいは保持する。ヒンジピン３６３の一端部３６３ａは、便蓋３１０を開閉駆動する図示しない便蓋開閉駆動ユニットに固定されている。ヒンジピン３６３の他端部３６３ｂは、便蓋３１０に係合されている。図示しない便蓋開閉駆動ユニットは、ヒンジピン３６３を介して駆動力を便蓋３１０に伝達し、中心軸Ｃ１を略中心として便蓋３１０を回転させることができる。
【００３７】
図２（ａ）に表したように、ケーシング４１０は、軸受け部４１１を有する。ヒンジピン３６３は、軸受け部４１１に設けられた穴を通して、図示しない便蓋開閉駆動ユニットおよび便蓋３１０に取り付けられている。ホルダ３５０は、軸受け部４１１の外周部に保持され、連結カバー部３３２により隠蔽されている。ホルダ３５０は、電気配線３６１を固定しつつ、便蓋３１０の回転軸Ｃ１を略中心として回転することができる。
【００３８】
光源装置５００に接続された電気配線３６１は、ケースカバー本体３３１の内部および連結カバー部３３２の内部を通り、ホルダ３５０に固定されている。さらに、ホルダ３５０に固定された電気配線３６１は、ケーシング４１０の内部に通され、ケーシング４１０の内部において余長を有する状態で制御部４０５および電源４０７に接続されている。
【００３９】
ここで、便蓋３１０が回転すると、光源装置５００と、制御部４０５および電源４０７と、の間の距離が変化する。すると、光源装置５００と、制御部４０５および電源４０７と、を接続する電気配線３６１の長さが変化する。これは、光源装置５００が便座２１０に設けられた場合においても同様である。そのため、電気配線３６１については、安全性および意匠性の配慮が必要となる。
【００４０】
これに対して、本実施形態の電気配線３６１は、便蓋３１０の回転軸Ｃ１の箇所においてホルダ３５０に固定され、ケーシング４１０の内部において余長を有する状態で制御部４０５および電源４０７に接続されている。言い換えれば、電気配線３６１は、便蓋３１０の回転に伴う長さの変化に対応可能な長さをケーシング４１０の内部に有する。
【００４１】
本実施形態によれば、電気配線３６１がホルダ３５０に固定されているため、光源装置５００とホルダ３５０との間の電気配線３６１の状態は、便蓋３１０の回転前後において略一定に維持される。そのため、電気配線３６１が引っ張りや噛み込みなどの外部ストレスを受けることを抑制することができる。これにより、電気配線３６１の安全を確保することができる。
【００４２】
次に、ホルダ３５０の近傍の構造について、図面を参照しつつさらに説明する。  
図３は、本実施形態のホルダを表す模式的斜視図である。  
図３（ａ）は、ホルダ３５０が軸受け部４１１に保持された状態においてケーシング４１０の外側からみたときのホルダ３５０を表す模式的斜視図である。図３（ｂ）は、ホルダ３５０が軸受け部４１１に保持された状態においてケーシング４１０の内側からみたときのホルダ３５０を表す模式的斜視図である。図３（ｃ）は、図３（ｂ）に表した領域Ａ２を拡大した模式的拡大図である。
【００４３】
図３（ｂ）に表したように、ホルダ３５０は、溝３５４を有する。溝３５４は、ホルダ３５０が軸受け部４１１に保持されたときにケーシング４１０と対面する側に設けられている。電気配線３６１は、溝３５４に挿入され保持される。図３（ａ）および図３（ｂ）に表したように、ホルダ３５０は、第１の配線固定部３５１と、第２の配線固定部３５２と、を有する。第１の配線固定部３５１は、ホルダ３５０が軸受け部４１１に保持されたときに便蓋３１０と対面する側に設けられている。第２の配線固定部３５２は、ホルダ３５０が軸受け部４１１に保持されたときにケーシング４１０と対面する側に設けられている。電気配線３６１は、溝３５４に挿入された状態において第１の配線固定部３５１および第２の配線固定部３５２と係合されることでホルダ３５０に固定される。
【００４４】
図３（ｃ）に表したように、第１の配線固定部３５１と第２の配線固定部３５２との間の溝３５４には、第１の突起部３５５ａおよび第２の突起部３５５ｂが設けられている。第１の突起部３５５ａおよび第２の突起部３５５ｂは、溝３５４の内壁から溝３５４の内側へ向かって突出し、電気配線３６１が溝３５４から外れることを抑制することができる。これにより、ホルダ３５０は、電気配線３６１をより確実に固定することができる。
【００４５】
ホルダ３５０は、略中央部に係合部３５６を有する。係合部３５６は、ホルダ３５０が軸受け部４１１に保持された状態において、便蓋３１０と対面する側と、ケーシング４１０と対面する側と、を貫通する穴を有する。係合部３５６の内径は、ケーシング４１０の軸受け部４１１の外径よりも大きい。そのため、ホルダ３５０は、係合部３５６が軸受け部４１１に挿入された状態で軸受け部４１１の外周部に保持され、便蓋３１０の回転軸Ｃ１を略中心として回転することができる。
【００４６】
図４は、便蓋が閉じた状態におけるホルダの近傍の構造を説明する模式的斜視図である。  
図５は、便蓋が開いた状態におけるホルダの近傍の構造を説明する模式的斜視図である。  
図６は、便蓋が閉じた状態におけるホルダの近傍の構造を説明する模式的断面図である。
【００４７】
図４（ａ）および図５（ａ）は、ホルダの近傍を後斜め上方から眺めた模式的斜視図である。図４（ｂ）および図５（ｂ）は、図４（ａ）および図５（ａ）に表したそれぞれのケーシング４１０の一部を切断した模式的斜視図である。図４（ｃ）および図５（ｃ）は、ケーシング４１０の内側からヒンジピン３６３および電気配線３６１を眺めた模式的斜視図である。図６（ａ）は、図４（ｂ）に表した切断面Ａ−Ａにおける模式的断面図である。図６（ｂ）は、図４（ｂ）に表した切断面Ｂ−Ｂにおける模式的断面図である。図６（ａ）および図６（ｂ）では、ヒンジピン３６３を省略している。
【００４８】
図４（ａ）および図４（ｂ）に表したように、便蓋３１０が閉じた状態において、ホルダ３５０は、第１の配線固定部３５１および第２の配線固定部３５２において電気配線３６１を固定し、ケーシング４１０の軸受け部４１１の外周部に保持されている。図４（ｂ）および図４（ｃ）に表したように、第２の配線固定部３５２から制御部４０５および電源４０７に向かって延在する電気配線３６１は、ケーシング４１０の軸受け部４１１の周囲に設けられた第１の開口部４１３ａを通してケーシング４１０の内部に配置される。
【００４９】
続いて、例えば使用者が便蓋３１０を開く指示をリモコンなどにより行うと、ヒンジピン３６３は、図示しない便蓋開閉駆動ユニットの駆動力を受け、中心軸Ｃ１を略中心として図４（ａ）に表した矢印Ａ１１の方向に回転する。ヒンジピン３６３の他端部３６３ｂが便蓋３１０に係合されているため、便蓋３１０は、ヒンジピン３６３を介して便蓋開閉駆動ユニットから伝達された駆動力により中心軸Ｃ１を略中心として図４（ａ）に表した矢印Ａ１１の方向に回転する。
【００５０】
ここで、図６（ａ）に表したように、便蓋３１０は、ヒンジピン３６３と係合されるヒンジ部３１２を有する。ヒンジ部３１２は、便蓋３１０が閉じた状態において法線方向が後方へ向いた第１の当接面３１２ａおよび第２の当接面３１２ｂを有する。  
一方、図３（ａ）および図６（ａ）に表したように、ホルダ３５０は、第１の凸部３５７と、第２の凸部３５８と、を有する。第１の凸部３５７は、便蓋３１０が閉じた状態において法線方向が前方へ向いた第１の受け面３５７ａを有する。第２の凸部３５８は、便蓋３１０が閉じた状態において法線方向が前方へ向いた第２の受け面３５８ａを有する。
【００５１】
便蓋３１０が中心軸Ｃ１を略中心として図６（ａ）に表した矢印Ａ１２の方向（図４（ａ）に表した矢印Ａ１１の方向）に回転すると、便蓋３１０の第１の当接面３１２ａは、ホルダ３５０の第１の受け面３５７ａを押す。すると、軸受け部４１１の外周部に保持されたホルダ３５０は、中心軸Ｃ１を略中心として図６（ａ）に表した矢印Ａ１２の方向に回転する。
【００５２】
図６（ｂ）に表したように、ケーシング４１０の軸受け部４１１の周囲（中心軸Ｃ１の周囲）には、第２の開口部４１３ｂが設けられている。第２の開口部４１３ｂは、ホルダ３５０の回転に伴う第２の配線固定部３５２の移動範囲（回転範囲）と略同等の範囲が開口した形状を有する。そのため、ホルダ３５０は、第２の配線固定部３５２においてケーシング４１０と接触することなく中心軸Ｃ１を略中心として回転できる。
【００５３】
そして、便蓋３１０が開いた状態におけるホルダ３５０の近傍の構造は、図５（ａ）〜図５（ｃ）に表した通りである。  
すなわち、ホルダ３５０は、第１の配線固定部３５１および第２の配線固定部３５２において電気配線３６１を固定しつつ、図４（ａ）に表した矢印Ａ１１の方向へ便蓋３１０が閉じた状態から約９０°〜１００°程度回転している。そのため、図５（ｃ）に表したように、便蓋３１０が開いた状態における第２の配線固定部３５２と制御部４０５および電源４０７との間の距離は、便蓋３１０が閉じた状態（図４（ｃ）参照）における第２の配線固定部３５２と制御部４０５および電源４０７との間の距離よりも短くなる。
【００５４】
一方、例えば使用者が便蓋３１０を閉じる指示をリモコンなどにより行うと、ヒンジピン３６３は、図示しない便蓋開閉駆動ユニットの駆動力を受け、中心軸Ｃ１を略中心として図５（ａ）に表した矢印Ａ１３の方向に回転する。すると、便蓋３１０は、ヒンジピン３６３を介して便蓋開閉駆動ユニットから伝達された駆動力により中心軸Ｃ１を略中心として図５（ａ）に表した矢印Ａ１３の方向に回転する。
【００５５】
便蓋３１０が中心軸Ｃ１を略中心として図６（ａ）に表した矢印Ａ１４の方向（図５（ａ）に表した矢印Ａ１２の方向）に回転すると、便蓋３１０の第２の当接面３１２ｂは、ホルダ３５０の第２の受け面３５８ａを押す。すると、軸受け部４１１の外周部に保持されたホルダ３５０は、中心軸Ｃ１を略中心として図６（ａ）に表した矢印Ａ１４の方向に回転する。
【００５６】
そして、便蓋３１０が閉じた状態におけるホルダ３５０の近傍の構造は、図４（ａ）〜図４（ｃ）に関して前述した通りである。  
すなわち、ホルダ３５０は、第１の配線固定部３５１および第２の配線固定部３５２において電気配線３６１を固定しつつ、図５（ａ）に表した矢印Ａ１３の方向へ便蓋３１０が開いた状態から約９０°〜１００°程度回転している。そのため、図４（ｃ）に表したように、便蓋３１０が閉じた状態における第２の配線固定部３５２と制御部４０５および電源４０７との間の距離は、便蓋３１０が開いた状態（図５（ｃ）参照）における第２の配線固定部３５２と制御部４０５および電源４０７との間の距離よりも長くなる。  
図４および図５に関して前述したことは、使用者が手動により便蓋３１０を開閉させた場合でも同様に生ずる。
【００５７】
このように、便蓋３１０が回転すると、第２の配線固定部３５２と、制御部４０５および電源４０７と、の間の距離が変化する。  
これに対して、本実施形態の電気配線３６１は、便蓋３１０の回転軸Ｃ１の箇所においてホルダ３５０に固定され、ケーシング４１０の内部において余長を有する状態で制御部４０５および電源４０７に接続されている。そのため、図２に関して前述したように、光源装置５００とホルダ３５０との間の電気配線３６１の状態は、便蓋３１０の回転前後において略一定に維持される。そのため、電気配線３６１が引っ張りや噛み込みなどの外部ストレスを受けることを抑制することができる。これにより、電気配線３６１の安全を確保することができる。
【００５８】
また、ホルダ３５０の第１の凸部３５７と便蓋３１０のヒンジ部３１２とが当接することで、あるいはホルダ３５０の第２の凸部３５８と便蓋３１０のヒンジ部３１２とが当接することで、ホルダ３５０は、便蓋３１０の回転に伴い回転する。
【００５９】
これによれば、ホルダ３５０は、便蓋３１０が回転するとより確実に回転する。言い換えれば、ホルダ３５０の回転動作は、便蓋３１０の回転動作と略同一である。そのため、光源装置５００とホルダ３５０との間の電気配線３６１の状態は、便蓋３１０の回転前後において略一定に維持される。そのため、電気配線３６１が引っ張りや噛み込みなどの外部ストレスを受けることを抑制することができる。
【００６０】
また、図６（ｂ）に関して前述したように、第２の開口部４１３ｂは、ホルダ３５０の回転に伴う第２の配線固定部３５２の回転範囲と略同等の範囲が開口した形状を有する。そのため、ホルダ３５０における電気配線３６１の固定箇所（第２の配線固定部３５２）と、制御部４０５および電源４０７における電気配線３６１の固定箇所と、の間の電気配線の動きをケーシング４１０の内部で完結させる又は閉じることができる。これにより、電気配線３６１がホルダ３５０あるいは回転軸Ｃ１の近傍において擦れたりすることを抑制できる。
【００６１】
図７は、本実施形態の連結カバー部の変形例を例示する模式的断面図である。  
図７は、図４（ｂ）に表した切断面Ａ−Ａにおける模式的断面図に相当する。
【００６２】
図７に表したように、本変形例の連結カバー部３３６は、第１の当接部３３６ａと、第２の当接部３３６ｂと、を有する。第１の当接部３３６ａおよび第２の当接部３３６ｂは、連結カバー部３３６の端部であってホルダ３５０の側の端部に設けられている。便蓋３１０が閉じた状態において、第１の当接部３３６ａは、ホルダ３５０の第１の配線固定部３５１の後方に配置されている。便蓋３１０が閉じた状態において、第２の当接部３３６ｂは、ホルダ３５０の第１の配線固定部３５１の前方に配置されている。
【００６３】
便蓋３１０が中心軸Ｃ１を略中心として図７に表した矢印Ａ１５の方向に回転すると、連結カバー部３３６は、便蓋３１０に固定されているため、便蓋３１０とともに中心軸Ｃ１を略中心として図７に表した矢印Ａ１５の方向に回転する。すると、連結カバー部３３６の第１の当接部３３６ａは、ホルダ３５０の第１の配線固定部３５１を押す。すると、軸受け部４１１の外周部に保持されたホルダ３５０は、中心軸Ｃ１を略中心として図７に表した矢印Ａ１５の方向に回転する。
【００６４】
一方、便蓋３１０が中心軸Ｃ１を略中心として図７に表した矢印Ａ１６の方向に回転すると、連結カバー部３３６は、便蓋３１０とともに中心軸Ｃ１を略中心として図７に表した矢印Ａ１６の方向に回転する。すると、連結カバー部３３６の第２の当接部３３６ｂは、ホルダ３５０の第１の配線固定部３５１を押す。すると、軸受け部４１１の外周部に保持されたホルダ３５０は、中心軸Ｃ１を略中心として図７に表した矢印Ａ１６の方向に回転する。
【００６５】
本変形例によれば、ホルダ３５０は、便蓋３１０に固定された連結カバー部３３６と当接することで便蓋３１０の回転動作と略同一の回転動作を行う。本変形例においても、図４〜図６に関して前述した効果と同様の効果が得られる。
【００６６】
図８および図９は、便蓋の回転軸の近傍の構成部品の組立工程の一例を例示する模式図である。  
まず、図８（ａ）に表したように、上ケース４１０ａから第１の開口部４１３ａ（図４（ｂ）参照）および第２の開口部４１３ｂ（図６（ｂ）参照）を介して電気配線３６１を外部へ取り出す。
【００６７】
続いて、図８（ｂ）に表したように、電気配線３６１をホルダ３５０に取り回して固定し、ホルダ３５０を上ケース４１０ａの軸受け部４１１に保持する。続いて、図８（ｃ）に表したように、上ケース４１０ａの内部の電気配線３６１を上ケース４１０ａに設けられたフック４１５に固定する。
【００６８】
続いて、図８（ｄ）に表したように、上ケース４１０ａを下ケース４１０ｂに固定する。これにより、上ケース４１０ａと下ケース４１０ｂとを有するケーシング４１０が組み立てられる。続いて、図８（ｅ）に表したように、軸受け部４１１にヒンジピン３６３を挿入する。
【００６９】
続いて、図８（ｆ）に表したように、便蓋３１０のヒンジ部３１２をヒンジピン３６３に係合させ、便蓋３１０を取り付ける。すると、図９（ａ）に表したように、ホルダ３５０の第１の凸部３５７がヒンジ部３１２の第１の当接面３１２ａに押される。これにより、ホルダ３５０が回転し、ホルダ３５０の第１の配線固定部３５１が上方へ移動する。
【００７０】
続いて、図９（ｂ）に表したように、制御部４０５および電源４０７に接続された電気配線３６１の先端に設けられたコネクタ３６５ａと、光源装置５００に接続された電気配線３６１の先端に設けられたコネクタ３６５ｂと、を接続する。コネクタ３６５ａとコネクタ３６５ｂとを接続した後、コネクタ３６５ａおよびコネクタ３６５ｂをケースカバー本体３３１の内部に収納する。
【００７１】
続いて、図９（ｃ）に表したように、連結カバー部３３２の内部に電気配線３６１を収納しつつ、ねじ３３９により連結カバー部３３２を便蓋３１０に固定する。なお、ねじ３３９を覆い隠すキャップをねじ３３９の上に取り付けてもよい。
【００７２】
次に、本発明の他の実施の形態について、図面を参照しつつ説明する。  
図１０は、本発明の他の実施の形態にかかるトイレ装置を表す模式的斜視図である。  
図１１は、図１０に表した領域Ａ３を拡大した模式的拡大図である。  
図１１（ａ）は、便蓋の回転軸の近傍を分解して表した模式的分解図である。図１１（ｂ）は、便蓋の回転軸の近傍を表す模式的組立図である。
【００７３】
本実施形態にかかるトイレ装置２０は、便器８２０と、その上に設けられた衛生洗浄装置１２０と、を備える。衛生洗浄装置１２０は、ケーシング（トイレ装置本体）４２０と、便座２２０と、便蓋３２０と、ケースカバー３４０と、光源装置５００と、を有する。ケースカバー３４０は、ケースカバー本体３４１と、連結カバー部３４２と、を有する。本実施形態の便器８２０と、ケーシング４２０と、便座２２０と、便蓋３２０と、ケースカバー３４０と、のそれぞれの形状は、図１に関して前述したトイレ装置１０の便器８１０と、ケーシング４１０と、便座２１０と、便蓋３１０と、ケースカバー３３０と、のそれぞれの形状と異なる。本実施形態にかかるトイレ装置２０の基本的な組み立て構造は、図１に関して前述したトイレ装置１０の基本的な組み立て構造と同様である。
【００７４】
すなわち、便器８２０のボウル部８２１の表面には、光触媒層８１３（図２０参照）が形成されている。  
光源装置５００は、便蓋３２０とケースカバー本体３４１との間に設けられ、便蓋３２０の裏面３２３に取り付けられている。あるいは、光源装置５００は、便蓋３２０とケースカバー本体３４１との間に設けられ、ケースカバー本体３４１に固定されている。あるいは、光源装置５００は、便座２２０に設けられていてもよい。光源装置５００は、便蓋３２０が閉じた状態において、ケースカバー本体３４１に設けられた開口部３４１ａを通して便器８２０のボウル部８２１の表面に対して紫外線を照射することができる。
【００７５】
ケースカバー本体３４１は、便蓋３２０が閉じた状態で着座面２２１と対面する箇所に設けられている。図１１（ａ）および図１１（ｂ）に表したように、連結カバー部３４２は、便蓋３２０が閉じた状態で便座２２０の着座面２２１と対面する便蓋３２０の面（裏面）３２３の周囲部に設けられ、ケースカバー本体３４１に固定されている。また、連結カバー部３４２は、ねじ３３９により便蓋３２０に固定されている。ねじ３３９は、キャップ３３７により覆い隠されている。
【００７６】
図１１（ｂ）に表したように、電気配線３６１は、ケースカバー３４０の内部に配置される。すなわち、制御部４０５および電源４０７に接続された電気配線３６１は、ケーシング４２０の内部から連結カバー部３４２の内部を通り、ケースカバー本体３４１の内部を通って光源装置５００に接続される。なお、本実施形態では、制御部４０５および電源４０７に接続された電気配線３６１の先端に設けられたコネクタ３６５ａは、光源装置５００に接続された電気配線３６１の先端に設けられたコネクタ３６５ｂと接続されている。
【００７７】
これによれば、図１に関して前述した効果と同様の効果が得られる。
【００７８】
図１２は、本実施形態の便蓋の回転軸の近傍を表す模式的分解図である。  
便蓋３２０の回転軸Ｃ１の近傍には、ホルダ３７０と、ヒンジピン３６３と、が設けられている。ホルダ３７０は、光源装置５００と、制御部４０５および電源４０７の少なくともいずれかと、を接続する電気配線３６１を固定あるいは保持する。ヒンジピン３６３の他端部３６３ｂは、便蓋３２０に係合されている。
【００７９】
ケーシング４２０は、軸受け部４２１を有する。ヒンジピン３６３は、軸受け部４２１に設けられた穴を通して、便蓋開閉駆動ユニット６１０（図１６参照）および便蓋３２０に取り付けられている。ホルダ３７０は、軸受け部４２１の外周部に保持され、連結カバー部３４２により隠蔽されている。ホルダ３７０は、電気配線３６１を固定しつつ、便蓋３２０の回転軸Ｃ１を略中心として回転することができる。その他の回転軸Ｃ１の近傍の構造は、図２に関して前述した回転軸Ｃ１の近傍の構造と同様である。
【００８０】
本実施形態の電気配線３６１は、便蓋３２０の回転軸Ｃ１の箇所においてホルダ３７０に固定され、ケーシング４２０の内部において余長を有する状態で制御部４０５および電源４０７に接続されている。言い換えれば、電気配線３６１は、便蓋３２０の回転に伴う長さの変化に対応可能な長さをケーシング４２０の内部に有する。
【００８１】
本実施形態によれば、電気配線３６１がホルダ３７０に固定されているため、光源装置５００とホルダ３７０との間の電気配線３６１の状態は、便蓋３２０の回転前後において略一定に維持される。そのため、電気配線３６１が引っ張りや噛み込みなどの外部ストレスを受けることを抑制することができる。これにより、電気配線３６１の安全を確保することができる。
【００８２】
次に、ホルダ３７０の近傍の構造について、図面を参照しつつさらに説明する。  
図１３は、本実施形態のホルダを表す模式的斜視図である。  
図１３（ａ）は、ホルダ３７０が軸受け部４２１に保持された状態においてケーシング４２０の外側からみたときのホルダ３７０を表す模式的斜視図である。図１３（ｂ）は、ホルダ３７０が軸受け部４２１に保持された状態においてケーシング４２０の内側からみたときのホルダ３７０を表す模式的斜視図である。
【００８３】
図１３（ａ）に表したように、ホルダ３７０は、溝３７４を有する。溝３７４は、ホルダ３７０が軸受け部４２１に保持されたときに便蓋３２０と対面する側に設けられている。電気配線３６１は、溝３７４に挿入され保持される。図１３（ａ）および図１３（ｂ）に表したように、ホルダ３７０は、第１の配線固定部３７１と、第２の配線固定部３７２と、第３の配線固定部３７３と、を有する。第１の配線固定部３７１および第２の配線固定部３７２は、ホルダ３７０が軸受け部４２１に保持されたときに便蓋３２０と対面する側に設けられている。第３の配線固定部３７３は、ホルダ３７０が軸受け部４２１に保持されたときにケーシング４２０と対面する側に設けられている。電気配線３６１は、溝３７４に挿入された状態において第１の配線固定部３７１、第２の配線固定部３７２および第３の配線固定部３７３と係合されることでホルダ３７０に固定される。
【００８４】
ホルダ３７０は、略中央部に係合部３７６を有する。係合部３７６は、ホルダ３７０が軸受け部４２１に保持された状態において、便蓋３２０と対面する側と、ケーシング４２０と対面する側と、を貫通する穴を有する。係合部３７６の内径は、ケーシング４２０の軸受け部４２１の外径よりも大きい。そのため、ホルダ３７０は、係合部３７６が軸受け部４２１に挿入された状態で軸受け部４２１の外周部に保持され、便蓋３２０の回転軸Ｃ１を略中心として回転することができる。
【００８５】
図１４は、便蓋が閉じた状態におけるホルダの近傍の構造を説明する模式的斜視図である。  
図１５は、便蓋が開いた状態におけるホルダの近傍の構造を説明する模式的斜視図である。  
図１６は、本実施形態のケーシングの内部構造を表す模式的斜視図である。  
図１７は、本実施形態のホルダの受け面を説明する模式図である。  
図１８は、本実施形態のケーシングに設けられた開口部を表す模式的斜視図である。
【００８６】
図１４（ａ）、図１４（ｂ）、図１５（ａ）および図１５（ｂ）は、ホルダの近傍を前斜め上方から眺めた模式的斜視図である。図１４（ｃ）は、図１４（ｂ）に表した切断面Ｃ−Ｃにおける模式的断面図である。図１５（ｃ）は、図１５（ｂ）に表した切断面Ｄ−Ｄにおける模式的断面図である。図１４（ａ）および図１５（ａ）では、便蓋３２０および連結カバー部３４２を省略している。図１７（ａ）は、ホルダの近傍をケーシングの内側からみた模式的斜視図である。図１７（ｂ）は、図１７（ａ）に表した切断面Ｅ−Ｅにおける模式的断面図である。
【００８７】
図１４（ａ）〜図１４（ｃ）に表したように、便蓋３２０が閉じた状態において、ホルダ３７０は、第１の配線固定部３７１、第２の配線固定部３７２および第３の配線固定部３７３において電気配線３６１を固定し、ケーシング４２０の軸受け部４２１の外周部に保持されている。図１４（ｃ）に表したように、第３の配線固定部３７３から制御部４０５および電源４０７に向かって延在する電気配線３６１は、ケーシング４２０の軸受け部４２１の周囲に設けられた開口部４２３を通してケーシング４２０の内部に配置される。例えば、図１６に表したように、第３の配線固定部３７３から制御部４０５および電源４０７に向かって延在する電気配線３６１は、便蓋開閉駆動ユニット６１０の下を通りフック４２５に固定されている。
【００８８】
続いて、例えば使用者が便蓋３２０を開く指示をリモコンなどにより行うと、ヒンジピン３６３は、便蓋開閉駆動ユニット６１０の駆動力を受け、中心軸Ｃ１を略中心として図１４（ａ）に表した矢印Ａ２１の方向に回転する。ヒンジピン３６３の他端部３６３ｂが便蓋３２０に係合されているため、便蓋３２０は、ヒンジピン３６３を介して便蓋開閉駆動ユニット６１０から伝達された駆動力により中心軸Ｃ１を略中心として図１４（ａ）に表した矢印Ａ２１の方向に回転する。
【００８９】
ここで、図１４（ａ）、図１７（ａ）および図１７（ｂ）に表したように、本実施形態のホルダ３７０は、便蓋３２０の裏面３２３と対面する受け面３７７を有する。  
便蓋３２０が中心軸Ｃ１を略中心として図１７（ｂ）に表した矢印Ａ２２の方向（図１４（ａ）に表した矢印Ａ２１の方向）に回転すると、便蓋３２０の裏面３２３は、ホルダ３７０の受け面３７７を押す。すると、軸受け部４２１の外周部に保持されたホルダ３７０は、中心軸Ｃ１を略中心として図１７（ｂ）に表した矢印Ａ２２の方向に回転する。
【００９０】
図１８に表したように、ケーシング４２０の軸受け部４２１の周囲（中心軸Ｃ１の周囲）には、開口部４２３が設けられている。開口部４２３は、ホルダ３７０の回転に伴う第３の配線固定部３７３の移動範囲（回転範囲）と略同等の範囲が開口した形状を有する。そのため、ホルダ３７０は、第３の配線固定部３７３においてケーシング４２０と接触することなく中心軸Ｃ１を略中心として回転できる。
【００９１】
そして、便蓋３２０が開いた状態におけるホルダ３７０の近傍の構造は、図１５（ａ）〜図１５（ｃ）に表した通りである。  
すなわち、ホルダ３７０は、第１の配線固定部３７１〜第３の配線固定部３７３において電気配線３６１を固定しつつ、図１４（ａ）に表した矢印Ａ２１の方向へ便蓋３２０が閉じた状態から約１００°〜１１０°程度回転している。そのため、図１５（ｃ）に表したように、便蓋３２０が開いた状態における第３の配線固定部３７３と制御部４０５および電源４０７との間の距離は、便蓋３２０が閉じた状態（図１４（ｃ）参照）における第３の配線固定部３７３と制御部４０５および電源４０７との間の距離よりも長くなる。
【００９２】
一方、例えば使用者が便蓋３２０を閉じる指示をリモコンなどにより行うと、ヒンジピン３６３は、便蓋開閉駆動ユニット６１０の駆動力を受け、中心軸Ｃ１を略中心として図１５（ａ）に表した矢印Ａ２３の方向に回転する。すると、便蓋３２０は、ヒンジピン３６３を介して便蓋開閉駆動ユニット６１０から伝達された駆動力により中心軸Ｃ１を略中心として図１５（ａ）に表した矢印Ａ２３の方向に回転する。
【００９３】
便蓋３２０が中心軸Ｃ１を略中心として図１７（ｂ）に表した矢印Ａ２４の方向（図１５（ａ）に表した矢印Ａ２３の方向）に回転すると、便蓋３２０の裏面３２３は、ホルダ３７０の受け面３７７を押す。すると、軸受け部４２１の外周部に保持されたホルダ３７０は、中心軸Ｃ１を略中心として図１７（ｂ）に表した矢印Ａ２４の方向に回転する。
【００９４】
そして、便蓋３２０が閉じた状態におけるホルダ３７０の近傍の構造は、図１４（ａ）〜図１４（ｃ）に関して前述した通りである。  
すなわち、ホルダ３７０は、第１の配線固定部３７１〜第３の配線固定部３７３において電気配線３６１を固定しつつ、図１５（ａ）に表した矢印Ａ２３の方向へ便蓋３２０が閉じた状態から約１００°〜１１０°程度回転している。そのため、図１４（ｃ）に表したように、便蓋３２０が閉じた状態における第３の配線固定部３７３と制御部４０５および電源４０７との間の距離は、便蓋３２０が開いた状態（図１５（ｃ）参照）における第３の配線固定部３７３と制御部４０５および電源４０７との間の距離よりも短くなる。
【００９５】
このように、便蓋３２０が回転すると、第３の配線固定部３７３と、制御部４０５および電源４０７と、の間の距離が変化する。  
これに対して、本実施形態の電気配線３６１は、便蓋３２０の回転軸Ｃ１の箇所においてホルダ３７０に固定され、ケーシング４２０の内部において余長を有する状態で制御部４０５および電源４０７に接続されている。そのため、図４〜図６に関して前述した効果と同様の効果が得られる。また、その他の効果についても、図４〜図６に関して前述した効果と同様の効果が得られる。
【００９６】
図１９は、本実施形態の連結カバー部の変形例を例示する模式的断面図である。  
図１９は、図１４（ｂ）に表した切断面Ｆ−Ｆにおける模式的断面図に相当する。
【００９７】
図１９に表したように、本変形例の連結カバー部３４６は、当接部３４６ａを有する。当接部３４６ａは、連結カバー部３４６の端部であってホルダ３７０の側の端部に設けられている。当接部３４６ａは、ホルダ３７０と係合している。
【００９８】
便蓋３２０が中心軸Ｃ１を略中心として回転すると、連結カバー部３４６は、便蓋３２０に固定されているため、便蓋３２０とともに中心軸Ｃ１を略中心として回転する。すると、連結カバー部３４６がホルダ３７０と係合しているため、軸受け部４２１の外周部に保持されたホルダ３７０は、中心軸Ｃ１を略中心として回転する。
【００９９】
本変形例によれば、ホルダ３７０は、便蓋３２０に固定された連結カバー部３４６と当接することで便蓋３２０の回転動作と略同一の回転動作を行う。本変形例においても、図１４〜図１８に関して前述した効果と同様の効果が得られる。
【０１００】
図２０は、光触媒層の一例を例示する模式的断面図である。  
本実施形態の光触媒層８１３は、バリア層８１３ａと、機能層８１３ｂと、を有する。例えば、光触媒層８１３としては、ＴｉＯ２／ＺｒＯ２系触媒焼成膜が用いられる。例えば、バリア層８１３ａにおけるＴｉＯ２とＺｒＯ２との配合比率は、機能層８１３ｂにおけるＴｉＯ２とＺｒＯ２との配合比率とそれぞれ異なる。但し、図２０に表した光触媒層８１３は、一例である。本実施形態の光触媒層８１３は、これだけに限定されるわけではない。
【０１０１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便蓋３１０、３２０およびケースカバー３３０、３４０などが備える各要素の形状、寸法、材質、配置などやホルダ３５０、３７０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０２】
１０ 、２０ トイレ装置、  １１０、１２０ 衛生洗浄装置、  ２１０ 便座、  ２１１ 着座面、  ２２０ 便座、  ２２１ 着座面、  ３１０ 便蓋、  ３１２ ヒンジ部、  ３１２ａ 第１の当接面、  ３１２ｂ 第２の当接面、  ３１３ 裏面、  ３２０ 便蓋、  ３２３ 裏面、  ３３０ ケースカバー、  ３３１ ケースカバー本体、  ３３１ａ 開口部、  ３３２、３３６ 連結カバー部、  ３３６ａ 第１の当接部、  ３３６ｂ 第２の当接部、  ３３７ キャップ、  ３３９ ねじ、  ３４０ ケースカバー、  ３４１ ケースカバー本体、  ３４１ａ 開口部、  ３４２、３４６ 連結カバー部、  ３４６ａ 当接部、  ３５０ ホルダ、  ３５１ 第１の配線固定部、  ３５２ 第２の配線固定部、  ３５４ 溝、  ３５５ａ 第１の突起部、  ３５５ｂ 第２の突起部、  ３５６ 係合部、  ３５７ 第１の凸部、  ３５７ａ 第１の受け面、  ３５８ 第２の凸部、  ３５８ａ 第２の受け面、  ３６１ 電気配線、  ３６３ ヒンジピン、  ３６３ａ 一端部、  ３６３ｂ 他端部、  ３６５ａ、３６５ｂ コネクタ、  ３７０ ホルダ、  ３７１ 第１の配線固定部、  ３７２ 第２の配線固定部、  ３７３ 第３の配線固定部、  ３７４ 溝、  ３７６ 係合部、  ３７７ 受け面、  ４０５ 制御部、  ４０７ 電源、  ４１０ ケーシング、  ４１０ａ 上ケース、  ４１０ｂ 下ケース、  ４１１ 軸受け部、  ４１３ａ 第１の開口部、  ４１３ｂ 第２の開口部、  ４１５ フック、  ４２０ ケーシング、  ４２１ 軸受け部、  ４２３ 開口部、  ４２５ フック、  ５００ 光源装置、  ６１０ 便蓋開閉駆動ユニット、  ８１０ 便器、  ８１１ ボウル部、  ８１３ 光触媒層、  ８１３ａ バリア層、  ８１３ｂ 機能層、  ８２０ 便器、  ８２１ ボウル部
【図１】
2014150905.tif 000003
【図２】
2014150905.tif 000004
【図３】
2014150905.tif 000005
【図４】
2014150905.tif 000006
【図５】
2014150905.tif 000007
【図６】
2014150905.tif 000008
【図７】
2014150905.tif 000009
【図８】
2014150905.tif 000010
【図９】
2014150905.tif 000011
【図１０】
2014150905.tif 000012
【図１１】
2014150905.tif 000013
【図１２】
2014150905.tif 000014
【図１３】
2014150905.tif 000015
【図１４】
2014150905.tif 000016
【図１５】
2014150905.tif 000017
【図１６】
2014150905.tif 000018
【図１７】
2014150905.tif 000019
【図１８】
2014150905.tif 000020
【図１９】
2014150905.tif 000021
【図２０】
2014150905.tif 000022